【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
第１の印刷装置と、第２の印刷装置と、を具備する組立部品印刷システムであって、
前記第１の印刷装置は、
接合領域を含む組立部品の情報を取得する組立部品情報取得手段と、
前記組立部品情報取得手段が前記情報を取得した前記組立部品を、第１の記録媒体に印刷する第１の印刷手段と、
を備え、
前記第２の印刷装置は、
前記接合領域を対応する被接合領域に接合するための接合部材を含む第２の記録媒体の幅を取得する幅取得手段、
を備え、
前記第１の印刷装置は、
前記幅取得手段が取得した前記幅に基づいて、前記第２の記録媒体上における、前記接合部材を取得するための領域の配置を決定する配置決定手段、
をさらに備え、
前記第２の印刷装置は、
前記配置決定手段が決定した前記配置を示す配置情報を、前記第２の記録媒体に印刷する第２の印刷手段、
をさらに備える、
ことを特徴とする組立部品印刷システム。
【請求項２】
前記第１の印刷装置は、
前記第１の記録媒体のサイズを取得するサイズ取得手段と、
前記サイズ取得手段が取得した前記第１の記録媒体のサイズに基づいて、前記接合領域を対応する前記被接合領域に接合するための前記接合部材のサイズを決定するサイズ決定手段と、
をさらに備え、
前記配置決定手段は、前記幅取得手段が取得した前記幅に基づいて、前記第２の記録媒体上における、前記サイズ決定手段が決定したサイズの前記接合部材を取得するための前記領域の前記配置を決定する、
ことを特徴とする請求項１に記載の組立部品印刷システム。
【請求項３】
前記配置決定手段は、前記第２の印刷手段が前記配置を示す前記配置情報を前記第２の記録媒体に印刷するときの印刷距離に基づいて、前記配置を決定する、
ことを特徴とする請求項１又は２に記載の組立部品印刷システム。
【請求項４】
前記配置決定手段は、前記第２の印刷手段が印刷した前記配置を示す前記配置情報に従って前記第２の記録媒体を切断するときの切断回数又は切断距離に基づいて、前記配置を決定する、
ことを特徴とする請求項１から３のいずれか１項に記載の組立部品印刷システム。
【請求項５】
前記組立部品は、複数の前記接合領域を含み、
前記配置決定手段は、前記複数の接合領域の幅の合計が前記幅取得手段の取得した前記幅以下である場合には、前記第２の記録媒体上における、前記複数の接合領域をそれぞれ対応する前記被接合領域に接合するための複数の前記接合部材を取得するための前記領域を、前記第２の記録媒体の幅方向に並べて配置する、
ことを特徴とする請求項１から４のいずれか１項に記載の組立部品印刷システム。
【請求項６】
前記配置決定手段は、前記接合領域の幅が前記幅取得手段の取得した前記幅よりも大きい場合には、前記第２の記録媒体上における、前記接合領域に接合するための前記接合部材を取得するための前記領域として、複数の前記領域を、前記第２の記録媒体の長手方向に並べて配置する、
ことを特徴とする請求項１から５のいずれか１項に記載の組立部品印刷システム。
【請求項７】
前記組立部品は、複数の前記接合領域を含み、
前記第２の印刷手段は、前記第２の記録媒体上における、前記複数の接合領域をそれぞれ対応する前記被接合領域に接合するための複数の前記接合部材を取得するための前記領域のそれぞれに、前記複数の接合領域のそれぞれとの対応関係を示す前記配置情報を印刷する、
ことを特徴とする請求項１から６のいずれか１項に記載の組立部品印刷システム。
【請求項８】
第１の印刷装置と、第２の印刷装置と、を具備する組立部品印刷システムにおける組立部品印刷方法であって、
前記第１の印刷装置が、接合領域を有する組立部品の情報を取得し、
前記第１の印刷装置が、前記情報を取得した前記組立部品を、第１の記録媒体に印刷し、
前記第２の印刷装置が、前記接合領域を対応する被接合領域に接合するための接合部材を含む第２の記録媒体の幅を取得し、
前記第１の印刷装置が、取得した前記幅に基づいて、前記第２の記録媒体上における、前記接合部材を取得するための領域の配置を決定し、
前記第２の印刷装置が、決定した前記配置を示す配置情報を、前記第２の記録媒体に印刷する、
ことを特徴とする組立部品印刷方法。
【請求項９】
第１の印刷装置と、第２の印刷装置と、を具備する組立部品印刷システムにおける当該第１の印刷装置のコンピュータに、
接合領域を有する組立部品の情報を取得させ、
前記情報を取得させた前記組立部品を、第１の記録媒体に印刷させ、
前記第２の印刷装置において取得させた、前記接合領域を対応する被接合領域に接合するための接合部材を含む第２の記録媒体の幅を、前記第２の印刷装置から受信させ、
受信させた前記幅に基づいて、前記第２の記録媒体上における、前記接合部材を取得するための領域の配置を決定させ、
決定させた前記配置を示す配置情報を前記第２の印刷装置に送信させて、前記配置を示す当該配置情報を、前記第２の印刷装置において前記第２の記録媒体に印刷させる、
ことを特徴とするプログラム。
【請求項１０】
接合領域を含む組立部品の情報を取得する組立部品情報取得手段と、
前記組立部品情報取得手段が前記情報を取得した前記組立部品を、第１の記録媒体に印刷する印刷手段と、
前記接合領域を対応する被接合領域に接合するための接合部材を含む第２の記録媒体の幅に基づいて、他の印刷手段が印刷する領域であって且つ前記第２の記録媒体上における前記接合部材を取得するための領域の配置を決定する配置決定手段と、
を備える、
ことを特徴とする印刷装置。
【請求項１１】
第１の記録媒体に印刷される組立部品の接合領域を、対応する被接合領域に接合するための接合部材を含む第２の記録媒体の幅を取得する幅取得手段と、
前記第２の記録媒体上における、前記接合部材を取得するための領域の配置を示し且つ他の印刷手段によって決定された配置情報を、前記第２の記録媒体に印刷する第２の印刷手段と、
を備える、
ことを特徴とする印刷装置。
【手続補正２】
【補正対象書類名】明細書
【補正対象項目名】発明の名称
【補正方法】変更
【補正の内容】
【発明の名称】組立部品印刷システム、印刷装置、組立部品印刷方法及びプログラム
【手続補正３】
【補正対象書類名】明細書
【補正対象項目名】０００１
【補正方法】変更
【補正の内容】
【０００１】
本発明は、組立部品印刷システム、印刷装置、組立部品印刷方法及びプログラムに関する。
【手続補正４】
【補正対象書類名】明細書
【補正対象項目名】０００５
【補正方法】変更
【補正の内容】
【０００５】
本発明は、以上のような課題を解決するためのものであり、組立部品を組み立てる際のユーザの操作性を向上させることが可能な組立部品印刷システム、印刷装置、組立部品印刷方法及びプログラムを提供することを目的とする。
【手続補正５】
【補正対象書類名】明細書
【補正対象項目名】０００８
【補正方法】変更
【補正の内容】
【０００８】
また、上記目的を達成するため、本発明に係るプログラムは、
第１の印刷装置と、第２の印刷装置と、を具備する組立部品印刷システムにおける当該第１の印刷装置のコンピュータに、
接合領域を有する組立部品の情報を取得させ、
前記情報を取得させた前記組立部品を、第１の記録媒体に印刷させ、
前記第２の印刷装置において取得させた、前記接合領域を対応する被接合領域に接合するための接合部材を含む第２の記録媒体の幅を、前記第２の印刷装置から受信させ、
受信させた前記幅に基づいて、前記第２の記録媒体上における、前記接合部材を取得するための領域の配置を決定させ、
決定させた前記配置を示す配置情報を前記第２の印刷装置に送信させて、前記配置を示す当該配置情報を、前記第２の印刷装置において前記第２の記録媒体に印刷させる、
ことを特徴とする。
本発明に係る印刷装置は、
接合領域を含む組立部品の情報を取得する組立部品情報取得手段と、
前記組立部品情報取得手段が前記情報を取得した前記組立部品を、第１の記録媒体に印刷する印刷手段と、
前記接合領域を対応する被接合領域に接合するための接合部材を含む第２の記録媒体の幅に基づいて、他の印刷手段が印刷する領域であって且つ前記第２の記録媒体上における前記接合部材を取得するための領域の配置を決定する配置決定手段と、
を備える、
ことを特徴とする。
本発明に係る別の印刷装置は、
第１の記録媒体に印刷される組立部品の接合領域を、対応する被接合領域に接合するための接合部材を含む第２の記録媒体の幅を取得する幅取得手段と、
前記第２の記録媒体上における、前記接合部材を取得するための領域の配置を示し且つ他の印刷手段によって決定された配置情報を、前記第２の記録媒体に印刷する第２の印刷手段と、
を備える、
ことを特徴とする。
【手続補正６】
【補正対象書類名】明細書
【補正対象項目名】０００９
【補正方法】変更
【補正の内容】
【０００９】
本発明によれば、組立部品を組み立てる際のユーザの操作性を向上させることが可能な組立部品印刷システム、印刷装置、組立部品印刷方法及びプログラムを提供することができる。